(57)【要約】【課題】  視標呈示部を見る被検者に混乱を与えることなく、各視標画像に設定された検査パラメータを容易に確認することができる自覚式検眼装置を提供する。【解決手段】  表示部２５には、各視標１１をそれぞれ示し且つ互いに異なる種類の検査毎に該検査に対応する検査パラメータ４２が設定された複数の視標画像３８が表示されており、メモリ部２９には、各視標画像３８に設定された検査パラメータ４２がそれぞれ検査の種類毎に記憶されており、表示手段５７は、表示部２５に表示された各視標画像３８から所望の視標画像３８を選択し該視標画像に対応する検査を実行すべく視標画像３８を決定するための選択決定手段であるマウス３７の操作によって視標画像３８が選択されたとき、選択された視標画像３８に設定された検査パラメータ４２をメモリ部２９から抽出し、抽出した検査パラメータ４２を表示部２５に表示させる。【選択図】  図８
2008154965.tif 000002
【特許請求の範囲】
【請求項１】
被検眼に呈示する各種の視標を表示するための視標呈示部と、各種の光学素子を保持し、前記視標呈示部に表示された前記視標を前記各光学素子を通して見た前記被検者からの応答に応じた種類の前記光学素子を前記被検眼と前記視標呈示部との間に選択的に配置する光学素子配置装置と、前記各視標をそれぞれ示し且つ互いに異なる種類の検査毎に該検査に対応する検査パラメータが設定された複数の視標画像が表示される表示部と、前記各視標画像に設定された前記検査パラメータがそれぞれ検査の種類毎に記憶されるメモリ部と、前記表示部に表示された前記各視標画像から所望の該視標画像を選択し、選択した該視標画像に対応する検査を実行すべく前記視標画像を決定するための選択決定手段と、前記視標呈示部、前記光学素子配置装置及び前記表示部のそれぞれの作動を制御し、前記選択決定手段により前記視標画像が決定されたとき、決定された該視標画像に対応する前記視標を前記視標呈示部に表示させる制御部と、前記選択決定手段により前記視標画像が選択されたとき、選択された該視標画像に設定された前記検査パラメータを前記メモリ部から抽出し、抽出した前記検査パラメータを前記表示部に表示させる表示手段とを備えることを特徴とする自覚式検眼装置。
【請求項２】
前記表示手段は、前記選択決定手段により前記視標画像が選択されたとき、選択された該視標画像の近傍で説明窓を前記表示部に表示させ、前記メモリ部から抽出した前記検査パラメータを前記説明窓内に表示させることを特徴とする請求項１に記載の自覚式検眼装置。
【請求項３】
前記表示部には、前記選択決定手段により決定された前記視標画像に対応する前記視標が表示される表示欄が設けられており、前記表示手段は、前記選択決定手段により前記視標画像が選択されたとき、前記メモリ部から抽出した前記検査パラメータを前記表示欄に表示させることを特徴とする請求項１に記載の自覚式検眼装置。
【請求項４】
前記メモリ部には、複数の種類の検査が連続して実行されたとき、既に実行された検査に用いられた前記各視標画像の履歴が記憶され、前記表示手段は、前記選択決定手段により前記視標画像が選択されたとき、選択された該視標画像が既に実行された検査に対応する前記視標画像であるか否かを前記メモリ部から検出し、選択された該視標画像が少なくとも既に実行された検査に対応する前記視標画像である場合、そのことを示す内容を前記検査パラメータと共に前記表示部に表示させることを特徴とする請求項１乃至３のいずれか一項に記載の自覚式検眼装置。
【請求項５】
前記メモリ部には、実行された検査の検査結果データが該検査毎に記憶され、前記表示手段は、前記選択決定手段により前記視標画像が選択されたとき、選択された該視標画像に対応する検査を実行する必要があるか否かを前記メモリ部に記憶された検査結果データに基づいて判断し、選択された前記視標画像に対応する検査を実行する必要がない場合には、そのことを示す内容を前記検査パラメータと共に前記表示部に表示させることを特徴とする請求項１乃至４のいずれか一項に記載の自覚式検眼装置。
【請求項６】
前記メモリ部には、各種の検査がそれぞれ前記被検眼のどのような機能を調べるための検査であるのかを示す検査内容が記憶されており、前記表示手段は、前記選択決定手段により前記視標画像が選択されたとき、該視標画像に対応する検査内容を前記メモリ部から抽出し、抽出した検査内容を前記検査パラメータと共に前記表示部に表示させることを特徴とする請求項１乃至５のいずれか一項に記載の自覚式検眼装置。
【発明の詳細な説明】
【技術分野】
【０００１】
本発明は、被検眼の視機能を被検者の自覚的な判断に基づいて検査するための自覚式検眼装置に関する。
【背景技術】
【０００２】
従来、眼鏡を作成する際に該眼鏡のレンズの屈折度数を定めるために、被検者の各眼の視機能を被検者の応答に基づいて検査するための自覚式検眼装置が知られている（例えば、特許文献１参照。）。このような自覚式検眼装置は、被検眼に呈示される各種の視標が表示される視標呈示部と、各種の光学素子を保持し、被検者からの応答に対応した種類の光学素子を被検眼と視標呈示部との間に選択的に配置する光学素子配置装置と、視標呈示部及び光学素子配置装置の作動を制御する制御装置とを備える。被検者は、視標呈示部に表示された視標を光学素子を通して見ることによって被検眼の視機能を検査することができる。
【０００３】
制御装置は、視標呈示部に表示される各種の視標を示す視標画像の一覧が表示される表示部と、該表示部に表示された各視標画像を選択して決定すべく操作される操作部とを有する。各視標画像には、該各視標画像に対応する視標を用いて実行される検査名及び検査内容等の検査パラメータが視標画像毎に設定されている。表示部に表示された各視標画像のうち所望の視標画像を操作部の操作により選択して決定することにより、決定した視標画像が示す視標が視標呈示部に表示され、決定された視標画像に設定された検査が該視標画像に対応する視標を用いて行われる。
【０００４】
従って、表示部に表示された各視標画像を操作部の操作により選択して決定することにより、各視標画像にいずれの検査パラメータが設定されているかを覚えている限り、実行する検査を容易に切り替えることができる。
【特許文献１】特開２００２−１４３０９２号公報
【発明の開示】
【発明が解決しようとする課題】
【０００５】
ところで、表示部に表示される各視標画像には、該各視標画像に対応する視標を用いて実行される検査パラメータが視標画像毎に設定されることから、同一の視標を用いて互いに異なる複数の種類の検査を行う場合、互いに異なる検査の種類が設定された複数の同一の視標画像が表示部に表示される。
【０００６】
このため、複数の同一の視標画像のうちいずれの視標画像にいずれの検査の種類が設定されているかを覚えていない限り、いずれの視標画像がいずれの検査の種類に対応した視標画像であるかを区別することができないため、行うべき検査以外の検査に対応する視標画像を誤って決定してしまう虞がある。
【０００７】
そこで、操作部の操作により視標画像を選択して決定したときに、決定した視標画像に設定された検査パラメータを表示部に表示させることが提案されている。
【０００８】
しかしながら、視標画像を操作部の操作により決定したとき、決定された視標画像が示す視標が視標呈示部に表示されることから、被検眼の検査中に、各視標画像に設定された検査パラメータを確認すべく操作部により視標画像の決定操作を繰り返し行うと、該決定操作により決定された複数の視標画像のそれぞれに対応する視標が、実際に検査に用いられないにも拘わらず視標呈示部に決定操作が行われる度に表示される。このため、視標呈示部の表示が短時間の間に繰り返し切り替えられるため、視標呈示部を見る被検者に混乱を与えてしまう。
【０００９】
そこで、本発明の目的は、視標呈示部を見る被検者に混乱を与えることなく、各視標画像に設定された検査パラメータを容易に確認することができる自覚式検眼装置を提供することにある。
【課題を解決するための手段】
【００１０】
上記課題を解決するために、請求項１に記載の発明は、被検眼に呈示する各種の視標を表示するための視標呈示部と、各種の光学素子を保持し、前記視標呈示部に表示された前記視標を前記各光学素子を通して見た前記被検者からの応答に応じた種類の前記光学素子を前記被検眼と前記視標呈示部との間に選択的に配置する光学素子配置装置と、前記各視標をそれぞれ示し且つ互いに異なる種類の検査毎に該検査に対応する検査パラメータが設定された複数の視標画像が表示される表示部と、前記各視標画像に設定された前記検査パラメータがそれぞれ検査の種類毎に記憶されるメモリ部と、前記表示部に表示された前記各視標画像から所望の該視標画像を選択し、選択した該視標画像に対応する検査を実行すべく前記視標画像を決定するための選択決定手段と、前記視標呈示部、前記光学素子配置装置及び前記表示部のそれぞれの作動を制御し、前記選択決定手段により前記視標画像が決定されたとき、決定された該視標画像に対応する前記視標を前記視標呈示部に表示させる制御部と、前記選択決定手段により前記視標画像が選択されたとき、選択された該視標画像に設定された前記検査パラメータを前記メモリ部から抽出し、抽出した前記検査パラメータを前記表示部に表示させる表示手段とを備えることを特徴とする。
【００１１】
請求項２に記載の発明は、請求項１に記載の発明において、前記表示手段は、前記選択決定手段により前記視標画像が選択されたとき、選択された該視標画像の近傍で説明窓を前記表示部に表示させ、前記メモリ部から抽出した前記検査パラメータを前記説明窓内に表示させることを特徴とする。
【００１２】
請求項３に記載の発明は、請求項１に記載の発明において、前記表示部には、前記選択決定手段により決定された前記視標画像に対応する前記視標が表示される表示欄が設けられており、前記表示手段は、前記選択決定手段により前記視標画像が選択されたとき、前記メモリ部から抽出した前記検査パラメータを前記表示欄に表示させることを特徴とする。
【００１３】
請求項４に記載の発明は、請求項１乃至３のいずれか一項に記載の発明において、前記メモリ部には、複数の種類の検査が連続して実行されたとき、既に実行された検査に用いられた前記各視標画像の履歴が記憶され、前記表示手段は、前記選択決定手段により前記視標画像が選択されたとき、選択された該視標画像が既に実行された検査に対応する前記視標画像であるか否かを前記メモリ部から検出し、選択された該視標画像が少なくとも既に実行された検査に対応する前記視標画像である場合、そのことを示す内容を前記検査パラメータと共に前記表示部に表示させることを特徴とする。
【００１４】
請求項５に記載の発明は、請求項１乃至４のいずれか一項に記載の発明において、前記メモリ部には、実行された検査の検査結果データが該検査毎に記憶され、前記表示手段は、前記選択決定手段により前記視標画像が選択されたとき、選択された該視標画像に対応する検査を実行する必要があるか否かを前記メモリ部に記憶された検査結果データに基づいて判断し、選択された前記視標画像に対応する検査を実行する必要がない場合には、そのことを示す内容を前記検査パラメータと共に前記表示部に表示させることを特徴とする。
【００１５】
請求項６に記載の発明は、請求項１乃至５のいずれか一項に記載の発明において、前記メモリ部には、各種の検査がそれぞれ前記被検眼のどのような機能を調べるための検査であるのかを示す検査内容が記憶されており、前記表示手段は、前記選択決定手段により前記視標画像が選択されたとき、該視標画像に対応する検査内容を前記メモリ部から抽出し、抽出した検査内容を前記検査パラメータと共に前記表示部に表示させることを特徴とする。
【発明の効果】
【００１６】
請求項１に記載の発明によれば、表示部には、各視標をそれぞれ示し且つ互いに異なる種類の検査毎に該検査に対応する検査パラメータが設定された複数の視標画像が表示され、メモリ部には、各視標画像に設定された検査パラメータがそれぞれ検査の種類毎に記憶されており、表示手段は、表示部に表示された各視標画像から所望の視標画像を選択し該視標画像に対応する検査を実行すべく視標画像を決定するための選択決定手段によって視標画像が選択されたとき、選択決定手段により選択された視標画像に設定された検査パラメータをメモリ部から抽出し、抽出した検査パラメータを表示部に表示させることから、被検眼の検査時に選択決定手段により視標画像を決定する前に選択したとき、表示部に表示される検査パラメータを視認することにより、選択した視標画像にいずれの検査の種類に対応する検査パラメータが設定されているかを確認することができる。
【００１７】
これにより、互いに異なる検査パラメータが設定された複数の同一の視標画像が表示部に表示された場合に、複数の同一の視標画像のうちいずれの視標画像にいずれの検査の種類に対応する検査パラメータが設定されているかをたとえ覚えていない場合であっても、選択決定手段による選択によって表示部に表示される検査パラメータを視認することにより、いずれの視標画像がいずれの検査の種類に対応した検査パラメータが設定された視標画像であるかを区別することができるので、行うべき検査以外の検査に対応する視標画像を誤って決定してしまうことを確実に防止することができる。
【００１８】
従って、所望の検査の種類に対応する検査パラメータが設定された視標画像を容易に決定することができる。
【００１９】
また、表示手段は、選択決定手段により視標画像が選択されたとき、選択された該視標画像に設定された検査パラメータをメモリ部から抽出し、抽出した検査パラメータを表示部に表示させ、視標呈示部、光学素子配置装置及び表示部の作動を制御する制御部は、選択決定手段により視標画像が決定されたとき、決定された該視標画像に対応する視標を視標呈示部に表示させることから、選択決定手段により視標画像が決定される前すなわち視標が視標呈示部に表示される前に、選択決定手段により視標画像が選択された時点で検査パラメータが表示部に表示される。
【００２０】
これにより、被検眼の検査中に、各視標画像に設定された検査パラメータを確認すべく選択決定手段により視標画像の選択を繰り返し行った場合でも、視標画像が決定されたときに該視標画像の検査パラメータを表示部に表示させる従来の場合とは異なり、選択された複数の視標画像のそれぞれに対応する視標が視標呈示部に視標画像の選択の都度表示されることはないので、視標呈示部の表示が短時間の間に繰り返し切り替えられることが防止される。
【００２１】
従って、視標提示部の表示が短時間に繰り返し切り替えられることによって視標呈示部を見る被検者に従来のような混乱を与えてしまうことを、確実に防止することができる。
【００２２】
請求項２に記載の発明によれば、表示手段は、選択決定手段により視標画像が選択されたとき、選択された該視標画像の近傍で説明窓を表示部に表示させ、メモリ部から抽出した検査パラメータを説明窓内に表示させることから、選択決定手段により選択した視標画像の検査パラメータを視認し易くすることができる。
【００２３】
また、選択決定手段により視標画像が選択されたときに説明窓を表示部に表示させることから、検査データを表示させるための専用の表示領域を表示部に予め設けておく必要はないので、前記表示領域を表示部に予め設けることによる表示部の表示スペースの縮小を防止することができる。
【００２４】
請求項３に記載の発明によれば、表示部には、選択決定手段により決定された視標画像に対応する視標が表示される表示欄が設けられていることから、表示欄に表示された視標を視認することにより、視標呈示部に表示された視標が決定した視標画像に対応する視標に一致しているか否か及び検査が適正な視標を用いて行われているか否かを容易に確認することができる。また、表示手段は、選択決定手段により視標画像が選択されたとき、メモリ部から抽出した検査パラメータを表示欄に表示させることから、表示欄を検査パラメータを表示させる表示領域として用いることができる。
【００２５】
請求項４に記載の発明によれば、メモリ部には、複数の種類の検査が連続して実行されたとき、既に実行された検査に用いられた各視標画像の履歴が記憶され、表示手段は、選択決定手段により視標画像が選択されたとき、選択された該視標画像が既に実行された検査に対応する視標画像であるか否かをメモリ部から検出し、選択された該視標画像が少なくとも既に実行された検査に対応する視標画像である場合、そのことを示す内容を検査パラメータと共に表示部に表示させることから、互いに異なる複数の検査を実行しているときに、選択決定手段による視標画像の選択によって表示部に表示された前記内容を視認することにより、選択された視標画像に対応する検査が既に実行されているか否かを確認することができる。
【００２６】
これにより、互いに異なる複数の検査を実行しているとき、互いに異なる検査パラメータが設定された複数の同一の視標画像が表示部に表示されている場合に複数の同一の視標画像のうちいずれの視標画像にいずれの検査の種類に対応する検査パラメータが設定されているかを覚えていないときでも、選択決定手段により一度決定した視標画像を誤って再度決定することすなわち一度行った検査が誤って再度実行されることを確実に防止することができる。
【００２７】
従って、一度行った検査を誤って再度実行することによる被検眼の検査時間の遅延を確実に防止することができる。
【００２８】
請求項５に記載の発明によれば、メモリ部には、実行された検査の検査結果データが該検査毎に記憶され、表示手段は、選択決定手段により視標画像が選択されたとき、選択された該視標画像に対応する検査を実行する必要があるか否かをメモリ部に記憶された検査結果データに基づいて判断し、少なくとも選択された視標画像に対応する検査を実行する必要がない場合には、そのことを示す内容を検査パラメータと共に表示部に表示させる。
【００２９】
例えば、複数の検査を実行した結果、被検眼の乱視度数が０である場合、被検眼の乱視を矯正すべく乱視検査を特別に行う必要がない。このような場合、乱視検査に対応する検査パラメータが設定された視標画像が選択決定手段により選択されたとき、表示部に乱視検査を行う必要がない旨の表示がされることにより、選択した視標画像に対応する検査を実行すべきか否かを容易に確認することができる。
【００３０】
これにより、実行すべき検査以外の検査を行うことによる検査時間の遅延を確実に防止することができる。
【００３１】
請求項６に記載の発明によれば、メモリ部には、各種の検査がそれぞれ被検眼のどのような機能を調べるための検査であるのかを示す検査内容が記憶されており、表示手段は、選択決定手段により視標画像が選択されたとき、該視標画像に対応する検査内容をメモリ部から抽出し、抽出した検査内容を検査パラメータと共に表示部に表示させることから、選択決定手段により視標画像を選択したとき、表示部に表示される検査内容を視認することにより、各視標画像に設定された検査パラメータに対応する検査が被検眼のどのような機能を調べるための検査であるのかを容易に確認することができる。
【００３２】
これにより、検者の熟練度がたとえ低かったとしても、検査を実行する前に、選択決定手段によって視標画像を選択することによりこれから実行する検査がどのような検査であるのかを予め確認することができるので、実行する検査内容を被検者に容易に説明することができる。
【発明を実施するための最良の形態】
【００３３】
本発明を図示の実施例に沿って説明する。
【実施例】
【００３４】
本発明に係る自覚式検眼装置１０は、図１に示すように、被検者１２の被検眼に呈示する各種の視標１１を表示するための視標呈示部１３と、被検眼の視機能を矯正するための矯正装置１４とを備える。自覚式検眼装置１０は、従来よく知られているように、図示しない眼鏡を作成する際に該眼鏡のレンズの屈折度数を定めるために用いられている。
【００３５】
視標呈示部１３は、視標１１が表示される表示画面１６を有する。表示画面１６は、図示の例では、液晶パネルで構成されており、表示画面１６に表示される視標１１は、後述する制御装置１５の操作により決定される。
【００３６】
被検者１２と視標呈示部１３との間には、検眼テーブル１８が配置されており、該検眼テーブルには、該検眼テーブルからその上方へ伸びる支柱１９が設けられている。支柱１９の上部には横方向に伸びるアーム２０が設けられており、該アームに矯正装置１４が取り付けられている。
【００３７】
矯正装置１４は、左右方向に並べて配置された一対のフォロプタ２１を備える。各フォロプタ２１は、それぞれ検眼窓が形成されたハウジング２１ａを備える。各ハウジング２１ａ内には、図示しないが従来と同様に、互いに屈折力の異なる複数の光学素子であるレンズが周方向に沿って設けられた環状のレンズディスクが回転可能に収納されている。すなわち、矯正装置１４は、光学素子を被検眼と視標呈示部１３との間に選択的に配置する光学素子配置装置を構成している。前記各レンズは、前記制御装置１５の制御下で前記レンズディスクの回転により各検眼窓内に選択的に配置される。
【００３８】
更に、本発明に係る自覚式検眼装置１０は、矯正装置１４及び視標呈示部１３の作動を制御する前記した制御装置１５を備える。
【００３９】
制御装置１５は、検眼テーブル１８上に載置されており、図示の例では、パーソナルコンピュータＰ（以下、パソコンと称す。）で構成されている。パソコンＰは、図２及び図３に示すように、検者２３（図１参照。）により操作される操作部２４、該操作部のための後述する操作画像が表示される表示部２５、演算制御回路２６及び画像出力部２７を有する。
【００４０】
演算制御回路２６は、図２に示すように、ＣＰＵ２８及びメモリ部２９を有する。ＣＰＵ２８は、操作部２４及び画像出力部２７に接続されており、更に、矯正装置１４に設けられた図示しない駆動制御部に接続されている。
【００４１】
メモリ部２９には、各種の検査に用いられる各種の視標１１を示す視標データ３０と、前記した操作画像を示す操作画像データ３１と、前記各レンズの球面度数、乱視度数及び軸角度等の屈折力を示すレンズデータ３２とがそれぞれ記憶されている。
【００４２】
操作部２４は、図３に示すように、検査の設定のための各種のスイッチが設けられた操作盤３６と、該操作盤に接続されたマウス３７とを備える。
【００４３】
マウス３７は、押し操作であるいわゆるクリック操作される左ボタン３７ａ及び右ボタン３７ｂと、該各ボタン３７ａ，３７ｂ間に設けられたダイヤル３５とを有する。ダイヤル３５は、例えば表示画面３３の後述する屈折力表示欄３４に表示される球面度数、乱視度数及び軸角度等の数値を変更するときに回転操作される。
【００４４】
マウス３７を例えば検査テーブルで移動させると、従来よく知られているように、表示画面３３に表示された矢印状のポインタ４１（図４参照。）が表示画面３３上を移動する。
【００４５】
表示部２５は、図２及び図３に示すように、操作部２４の前記各スイッチの操作により設定された内容を示す前記した操作画像が表示される前記した表示画面３３を有する。
【００４６】
表示画面３３は、図示の例では、液晶パネルで構成されている。表示画面３３には、図４に示すように、マウス３７の操作により後述するように設定される前記レンズの屈折力が表示される前記した屈折力表示欄３４と、視標呈示部１３の表示画面１６に表示される視標１１を示す複数の視標画像３８の一覧が表示される一覧表示欄３９と、該一覧表示欄から後述するように選択されて決定された視標画像３８に対応する視標１１が表示される視標表示欄４０とが設けられている。
【００４７】
屈折力表示欄３４には、図示の例では、前記レンズの屈折力のうち球面度数、乱視度数、軸角度及び加入の項目が示されている。
【００４８】
屈折力表示欄３４、一覧表示欄３９及び視標表示欄４０は、それぞれメモリ部２９に記憶された操作画像データ３１に含まれている。
【００４９】
表示画面３３に表示された一覧表示欄３９の各視標画像３８のうち所望の視標画像３８上にポインタ４１をマウス３７の操作によって移動させることにより、視標画像３８が選択される。また、図示の例では、所望の視標画像３８上にポインタ４１を位置させた状態すなわち視標画像３８が選択された状態でマウス３７の左ボタン３７ａをクリック操作することにより、選択した視標画像３８が決定される。すなわち、マウス３７は、表示部２５の表示画面３３に表示された各視標画像３８から所望の該視標画像を選択し、選択した視標画像３８を決定するための選択決定手段を構成する。
【００５０】
また、図示の例では、屈折力表示欄３４に示された前記した各項目のうちいずれかの項目上にポインタ４１がおかれた状態でマウス３７の左ボタン３７ａをクリック操作すると、ポインタ４１がおかれた項目を決定することができ、項目を決定した状態でマウス３７のダイヤル３５を回転操作することにより、その項目の値を変化させることができる。
【００５１】
ＣＰＵ２８は、ポインタ４１が所定の視標画像３８上でマウス３７の左ボタン３７ａがクリック操作されたことすなわち視標画像３８が決定されたことを検知すると、決定された視標画像３８に対応する視標１１の視標データ３０をメモリ部２９から抽出し、抽出した視標データ３０を示す信号を画像出力部２７に送る。
【００５２】
また、ＣＰＵ２８は、屈折力表示欄３４のいずれかの項目上にポインタ４１がおかれた状態でマウス３７の左ボタン３７ａがクリック操作されたことすなわち項目が決定されたことを検知すると、その項目が屈折力表示欄３４に示された各項目のうちいずれの項目であるかを検出し、更に、ダイヤル３５が操作されると、該ダイヤルの操作位置に対応する屈折力をメモリ部２９のレンズデータ３２から抽出し、抽出した該レンズデータが示す屈折力を有する前記レンズを各フォロプタ２１の検眼窓内に配置する旨の制御信号を矯正装置１４の前記駆動制御部に制御信号を送る。これにより、マウス３７の操作により選択された屈折力を有する前記レンズが各フォロプタ２１の検眼窓内に配置される。
【００５３】
更に、ＣＰＵ２８は、マウス３７のダイヤル３５が操作されると、メモリ部２９から抽出したレンズデータ３２を示す信号を画像出力部２７に送る。
【００５４】
また、ＣＰＵ２８は、例えば自覚式検眼装置１０の電源がＯＦＦ状態からＯＮ状態に切り替わったとき、メモリ部２９から操作画像データ３１を読み込み、該操作画像データを示す信号を画像出力部２７に送る。
【００５５】
画像出力部２７は、表示部２５及び視標呈示部１３に接続されている。
【００５６】
画像出力部２７は、ＣＰＵ２８から操作画像データ３１を示す信号を受けると、操作画像を表示画面３３に表示させることを示す操作画像信号を表示部２５に出力する。これにより、表示部２５の表示画面３３には、操作画像データ３１に含まれる屈折力表示欄３４、一覧表示欄３９及び視標表示欄４０がそれぞれ図４に示すように表示される。
【００５７】
また、画像出力部２７は、ＣＰＵ２８からレンズデータ３２を示す信号を受けると、操作画像データ３１に含まれる屈折力表示欄３４にレンズデータ３２が示す屈折力を表示する旨の屈折力画像信号を表示部２５に出力する。これにより、表示部２５の表示画面３３の屈折力表示欄３４には、図４に示すように、マウス３７のダイヤル３５の操作により設定された前記レンズの屈折力の値が表示される。
【００５８】
更に、画像出力部２７は、ＣＰＵ２８から視標データ３０を示す信号を受けると、該視標データが示す視標１１を操作画像の視標表示欄４０に表示させる旨の視標画像信号を表示部２５に出力し、更に、表示画面１６に表示させる旨の視標画像信号を視標呈示部１３に出力する。これにより、表示部２５の視標表示欄４０と視標呈示部１３の表示画面１６とには、図４に示すように、それぞれマウス３７の操作により決定された視標画像３８に対応する視標１１が表示される。
【００５９】
一覧表示欄３９に表示された各視標画像３８には、それぞれ互いに異なる種類の検査毎に該検査に対応する検査パラメータ４２（図２参照。）が設定されている。
【００６０】
各視標画像３８にそれぞれ検査パラメータ４２を設定する際、図示の例では、先ず、表示部２５の表示画面３３に表示されたポインタ４１をマウス３７の操作により一覧表示欄３９内の任意の位置に移動させ、その位置でマウス３７の左ボタン３７ａを二回続けて押し操作するいわゆるダブルクリック操作を行う。このとき、ＣＰＵ２８は、いずれかの視標画像３８上にポインタ４１が位置した状態でマウス３７の左ボタン３７ａがダブルクリック操作されたことを検知すると、画像出力部２７を介して表示部２５に制御信号を送る。表示部２５は、ＣＰＵ２８から画像出力部２７を介して制御信号を受けると、図５に示すように、各視標画像３８に既に設定された検査名が各視標画像３８に対応して一覧表示される一覧画面４３を表示画面３３に表示する。一覧画面４３は、メモリ部２９に記憶された操作画像データ３１に含まれる。
【００６１】
一覧画面４３には、各種の視標画像３８が一覧表示される視標欄４４と、各種の検査名が各視標画像３８に対応して一覧表示される検査名欄４５とが設けられている。
【００６２】
次に、視標欄４４に表示された各視標画像３８のうち検査パラメータ４２を設定する視標画像３８上でマウス３７の左ボタン３７ａのクリック操作を行う。これにより、検査パラメータ４２の設定を行う視標画像３８が決定される。視標画像３８上でマウス３７の左ボタン３７ａがクリック操作されると、図示の例では、視標欄４４及び検査名欄４５に、選択された視標画像３８及び該視標画像に対応する検査名（図示の例では、「球面度テスト／遠用視力測定」である。）がＣＰＵ２８の制御下で反転表示される。
【００６３】
続いて、一覧画面４３に設けられた編集ボタン４６上でマウス３７の左ボタン３７ａのクリック操作を行う。このとき、ＣＰＵ２８は、編集ボタン４６上でクリック操作が行われたことを検知すると、画像出力部２７を介して表示部２５に制御信号を送る。表示部２５は、ＣＰＵ２８から画像出力部２７を介して制御信号を受けると、図６に示すように、各視標画像３８にそれぞれ検査パラメータ４２を設定するための設定画面４７を表示画面３３に表示する。設定画面４７は、メモリ部２９に記憶された操作画像データ３１に含まれる。
【００６４】
設定画面４７には、検査名の一覧が表示された検査名一覧表示欄４８が設けられている。検査名一覧表示欄４８に表示された各検査名のうち一覧画面４３で選択された検査名は、図示の例では、反転表示されている。検査名一覧表示欄４８に表示された各種の検査名データ４９は、図２に示すように、それぞれメモリ部２９に予め記憶されている。
【００６５】
また、設定画面４７には、図６に示すように、データ項目ボックス５０、被検眼項目ボックス５１、操作データボックス５２及び雲霧量項目ボックス５３がそれぞれ設けられている。
【００６６】
データ項目ボックス５０は、既に得られている各種の検査結果データ５４（図２参照。）のうち、いずれの検査結果データ５４に基づいて検査を行うかを指定するためのボックスである。各種の検査結果データ５４は、各種の検査をそれぞれ実行する度に、メモリ部２９に記憶される。被検眼項目ボックス５１は、一覧画面４３で選択された視標画像３８に対応する視標１１を用いて片眼検査及び両眼検査のいずれを行うかを選択するためのボックスである。操作データボックス５２は、検査中に各フォロプタ２１の検眼窓内に配置される前記レンズを交換すべく屈折表示欄３４に表示された屈折力の値をマウス３７の操作により変化させるときに、屈折力表示欄３４に示された球面度数、乱視度数、軸角度及び加入の各項目のうちいずれの項目の値を変化可能にするかを指定するためのボックスである。雲霧量項目ボックス５３は、一覧画面４３で決定された視標画像３８に対応する視標１１を雲霧させて被検眼に呈示するか否か、雲霧させるのであれば雲霧量をどの程度にするかを選択するためのボックスである。
【００６７】
各ボックス５０〜５３には、従来よく知られたドロップダウン矢印５０ａ，５１ａ，５２ａ，５３ａがそれぞれ設けられている。
【００６８】
例えばデータ項目ボックス５０に設けられたドロップダウン矢印５０ａ上でクリック操作を行うと、図７に示すように、各種の検査結果データ５４が選択可能に表示されたプルダウンメニュー５０ｂが設定画面４７上に表示される。プルダウンメニュー５０ｂには、図示の例では、裸眼時の被検眼の球面度数、乱視度数及び軸角度等の裸眼データ、例えばオートレフラクトメータを用いて他覚式で測定された他覚データ、現在使用しているメガネの球面度数、乱視度数及び軸角度等のメガネデータ、図示しないデータベースから転送された前回の処方データ、自覚検眼データ及び処方データが表示されている。これら各データは、それぞれメモリ部２９に記憶されている。
【００６９】
一覧画面４３で選択した視標画像３８に検査パラメータ４２を設定する際、先ず、検査名一覧表示欄４８に表示された検査のうち所望の検査を示す文字上で前記クリック操作を行うことにより前記所望の検査を選択する。これにより、図６に示すように、選択された検査名が反転表示される。次に、各ボックス５０，５１，５２，５３の各プルダウンメニューから所望の項目をマウス３７の操作により選択する。その後、設定画面４７に設けられたＯＫボタン５５上でクリック操作を行うことにより、検査の種類及び検査データの種類等の検査パラメータ４２が確定される。
【００７０】
最後に、マウス３７の操作によりポインタ４１を一覧画面４３に設けられた保存＆終了ボタン５６（図５参照。）上に移動させ、その状態でマウス３７の左ボタン３７ａをクリック操作する。これにより、各視標画像３８に設定された検査パラメータ４２が視標画像３８毎にメモリ部２９に記憶され、一覧画面４３で選択した視標画像３８への検査パラメータ４２の設定が終了する。
【００７１】
検査パラメータ４２が設定された各視標画像３８は、表示部２５の表示画面３３の一覧表示欄３９に表示される。一覧表示欄３９への各視標画像３８の表示位置は、それぞれメモリ部２９に記憶される。
【００７２】
本発明に係る自覚式検眼装置１０を用いて被検眼の視機能を検査する際、検者２３は、先ず、検査に用いる視標１１を示す視標画像３８を表示部２５の一覧表示欄３９からマウス３７の操作により前記したように選択して決定する。このとき、前記したように、表示部２５の視標表示欄４０及び視標呈示部１３の表示画面１６には、それぞれ決定された視標画像３８に対応する視標１１が表示される。検者２３は、視標表示欄４０に表示された視標１１を視認することにより、表示された視標１１が決定した視標画像３８に対応する視標１１に一致しているか否かを確認することができる。
【００７３】
次に、検者２３は、視標呈示部１３の表示画面１６に表示された視標１１を各検眼窓内に配置された前記各レンズを通して被検者１２に見させ、その見え具合を聞く。検者２３は、被検者１２の応答に基づいて、各検眼窓内に配置する前記レンズをマウス３７のダイヤル３５の操作により切り替える。このとき、ダイヤル３５の操作により設定された前記レンズの屈折力が、前記したように、表示部２５の屈折力表示欄３４に表示される。前記レンズを切り替えることにより、被検眼の視機能が矯正され、作成すべき眼鏡のレンズの屈折度数を定めることができる。
【００７４】
更に、本発明に係る自覚式検眼装置１０では、図２に示すように、表示部２５の表示画面３３に表示された一覧表示欄３９からマウス３７の操作により選択された視標画像３８に設定された検査パラメータ４２を表示部２５の表示画面３３に表示させる表示手段５７を備える。表示手段５７は、図示の例では、演算制御回路２６に組み込まれており、ＣＰＵ２８及び画像出力部２７に接続されている。
【００７５】
マウス３７の操作によってポインタ４１が一覧表示欄３９に表示されたいずれかの視標画像３８上に配置されることにより視標画像３８が選択されたとき、図示の例では、ＣＰＵ２８は、選択された視標画像３８をメモリ部２９に記憶された一覧表示欄３９への表示位置に基づいて特定し、特定した視標画像３８を示す信号を表示手段５７に出力する。
【００７６】
表示手段５７は、ＣＰＵ２８から視標画像３８を示す信号を受けると、図８に示す例では、表示部２５の表示画面３３に説明窓５８を表示させる。説明窓５８は、従来よく知られているように、表示画面３３の最前面に現れるツールチップと称される枠状の表示部分である。説明窓５８を示す画像は、メモリ部２９に記憶された操作画像データ３１に含まれている。
【００７７】
具体的には、表示手段５７は、ＣＰＵ２８から視標画像３８を示す信号を受けると、メモリ部２９から説明窓５８の画像を取り出し、該画像を表示部２５の表示画面３３に表示させることを示す信号を画像出力部２７に出力する。
【００７８】
画像出力部２７は、説明窓５８の画像を表示部２５の表示画面３３に表示させることを示す信号を表示手段５７から受けると、選択された視標画像３８の近傍に説明窓５８の画像を表示させる旨の画像信号を表示部２５に出力する。これにより、表示部２５の表示画面３３には、図８に示すように、選択された視標画像３８の近傍に説明窓５８が表示される。
【００７９】
更に、表示手段５７は、ＣＰＵ２８から視標画像３８を示す信号を受けると、選択された視標画像３８に設定された検査パラメータ４２をメモリ部２９から抽出し、抽出した検査パラメータ４２を表示部２５に表示させる旨の信号を画像出力部２７に出力する。
【００８０】
画像出力部２７は、抽出した検査パラメータ４２を表示部２５に表示させる旨の信号を表示手段５７から受けると、説明窓５８内に検査パラメータ４２を表示することを示す画像信号を表示部２５に出力する。これにより、表示画面３３には、図８に示すように、マウス３７の操作により選択された視標画像３８の検査パラメータ４２が説明窓５８内に表示される。
【００８１】
本実施例によれば、前記したように、表示部２５には、各視標１１をそれぞれ示し且つ互いに異なる種類の検査毎に該検査に対応する検査パラメータ４２が設定された複数の視標画像３８が表示され、メモリ部２９には、各視標画像３８に設定された検査パラメータ４２がそれぞれ検査の種類毎に記憶されており、表示手段５７は、表示部２５に表示された各視標画像３８から所望の視標画像３８を選択し該視標画像に対応する検査を実行すべく視標画像３８を決定するための選択決定手段によって視標画像３８が選択されたとき、選択決定手段により選択された視標画像３８に設定された検査パラメータ４２をメモリ部２９から抽出し、抽出した検査パラメータ４２を表示部２５に表示させることから、被検眼の検査時に選択決定手段により視標画像３８を決定する前に選択したとき、表示部２５に表示される検査パラメータ４２を視認することにより、選択した視標画像３８にいずれの検査の種類に対応する検査パラメータ４２が設定されているかを確認することができる。
【００８２】
これにより、互いに異なる検査パラメータ４２が設定された複数の同一の視標画像３８が表示部２５に表示された場合に、複数の同一の視標画像３８のうちいずれの視標画像３８にいずれの検査の種類に対応する検査パラメータ４２が設定されているかをたとえ覚えていない場合であっても、選択決定手段による選択によって表示部２５に表示される検査パラメータ４２を視認することにより、いずれの視標画像３８がいずれの検査の種類に対応した検査パラメータ４２が設定された視標画像３８であるかを区別することができるので、行うべき検査以外の検査に対応する視標画像３８を誤って決定してしまうことを確実に防止することができる。
【００８３】
従って、所望の検査の種類に対応する検査パラメータ４２が設定された視標画像３８を容易に決定することができる。
【００８４】
また、表示手段５７は、選択決定手段により視標画像３８が選択されたとき、選択された該視標画像に設定された検査パラメータ４２をメモリ部２９から抽出し、抽出した検査パラメータ４２を表示部２５に表示させ、視標呈示部１３、光学素子配置装置及び表示部２５の作動を制御する制御部は、選択決定手段により視標画像３８が決定されたとき、決定された該視標画像に対応する視標１１を視標呈示部１３に表示させることから、選択決定手段により視標画像３８が決定される前すなわち視標１１が視標呈示部１３に表示される前に、選択決定手段により視標画像３８が選択された時点で検査パラメータ４２が表示部２５に表示される。
【００８５】
これにより、被検眼の検査中に、各視標画像３８に設定された検査パラメータ４２を確認すべく選択決定手段により視標画像３８の選択を繰り返し行った場合でも、視標画像３８が決定されたときに該視標画像の検査パラメータ４２を表示部２５に表示させる従来の場合とは異なり、選択された複数の視標画像３８のそれぞれに対応する視標１１が視標呈示部１３に視標画像３８の選択の都度表示されることはないので、視標呈示部１３の表示が短時間の間に繰り返し切り替えられることが防止される。
【００８６】
従って、視標１１提示部の表示が短時間に繰り返し切り替えられることによって視標呈示部１３を見る被検者１２に従来のような混乱を与えてしまうことを、確実に防止することができる。
【００８７】
また、前記したように、表示手段５７は、選択決定手段により視標画像３８が選択されたとき、選択された該視標画像の近傍で説明窓５８を表示部２５に表示させ、メモリ部２９から抽出した検査パラメータ４２を説明窓５８内に表示させることから、選択決定手段により選択した視標画像３８の検査パラメータ４２を視認し易くすることができる。
【００８８】
また、選択決定手段により視標画像３８が選択されたときに説明窓５８を表示部２５に表示させることから、検査データを表示させるための専用の表示領域を表示部２５に予め設けておく必要はないので、前記表示領域を表示部２５に予め設けることによる表示部２５の表示スペースの縮小を防止することができる。
【００８９】
本実施例において、複数の種類の検査が連続して実行されている場合、マウス３７の操作により一覧表示欄３９から視標画像３８が選択されたときに、選択された視標画像３８が既に実行された検査に用いられた視標画像３８であるか否かを表示部２５の表示画面３３に表示させることができる。
【００９０】
この場合、既に実行された検査に対応する視標画像３８の履歴データは、各検査が実行される度にメモリ部２９に例えば検査の実行時間順に記憶される。
【００９１】
また、この場合、表示手段５７は、マウス３７の操作により視標画像３８が選択されたとき、選択された該視標画像が既に実行された検査に対応する視標画像３８であるか否かをメモリ部２９から検出し、選択された該視標画像が既に実行された検査に対応する視標画像３８である場合、そのことを示す内容を表示部２５に表示させる旨の信号を画像出力部２７に出力する。
【００９２】
画像出力部２７は、選択された視標画像３８が実行済みの検査に対応する視標画像３８であることを示す内容を表示部２５に表示させる旨の信号を表示手段５７から受けると、例えば「実行済みの検査です」という文字を説明窓５８内に表示することを示す画像信号を表示部２５に出力する。これにより、表示画面３３には、図９に示すように、選択された視標画像３８の検査パラメータ４２と共に「実行済みの検査です」という文字６４が説明窓５８内に表示される。
【００９３】
図９に示す例によれば、前記したように、表示手段５７は、マウス３７の操作により視標画像３８が選択されたとき、選択された該視標画像が既に実行された検査に対応する視標画像３８であるか否かをメモリ部２９から検出し、選択された該視標画像が実行済みの検査に対応する視標画像３８である場合、そのことを示す内容を検査パラメータ４２と共に表示部２５に表示させることから、互いに異なる複数の検査を実行しているときに、マウス３７の操作による視標画像３８の選択によって表示部２５に表示された前記内容を視認することにより、選択された視標画像３８に対応する検査が既に実行されているか否かを確認することができる。
【００９４】
これにより、互いに異なる複数の検査を実行しているとき、互いに異なる検査パラメータ４２が設定された複数の同一の視標画像３８が表示部２５に表示されている場合に複数の同一の視標画像３８のうちいずれの視標画像３８にいずれの検査の種類に対応する検査パラメータ４２が設定されているかを覚えていないときでも、マウス３７の操作により一度決定した視標画像３８を誤って再度決定することすなわち一度行った検査が誤って再度実行されることを確実に防止することができる。
【００９５】
従って、一度行った検査を誤って再度実行することによる被検眼の検査時間の遅延を確実に防止することができる。
【００９６】
図９に示す例では、説明窓５８内に「実行済みの検査です」という文字６４を表示させた例を示したが、これに代えて、他の文字を説明窓５８内に表示することができる。
【００９７】
また、図９に示す例では、説明窓５８内に文字を表示させることにより、選択された視標画像３８が実行済みの検査に対応する視標画像３８であることを示した例を示したが、これに代えて、マウス３７の操作により一覧表示欄３９から実行済みの検査に用いられた視標画像３８が選択されたとき、例えば説明窓５８の色を変化させたり、説明窓５８を点滅させたり、説明窓５８内にエラーマークを表示させたりすることにより、選択された視標画像３８が実行済みの検査に対応する視標画像３８であることを示すことができる。
【００９８】
更に、図９に示す例では、選択した視標画像３８が実行済みの検査に対応する視標画像３８であることを示す内容を表示部２５の表示画面３３に表示させた例を示したが、これに代えて、既に実行された検査に用いられた視標画像３８の履歴データを一覧表示することができる。
【００９９】
この場合、マウス３７の操作により一覧表示欄３９から選択された視標画像３８が実行済みの検査に対応する視標画像３８である場合に加えて、選択された視標画像３８が実行済みの検査に対応する視標画像３８ではない場合にも、履歴データを表示画面３３に一覧表示することができる。これにより、実行してきた検査と該検査に対応する視標画像３８とをそれぞれ容易に確認することができる。
【０１００】
また、図９に示す例において、各視標画像３８の履歴データと共に、各視標画像３８に対応する検査を実行したときの検査結果データ５４を表示画面３３に表示させることができる。これにより、いずれの検査を実行したときに検査データが変化したのかを容易に確認することができる。
【０１０１】
図１乃至図９に示す例において、マウス３７の操作により視標画像３８が選択されたとき、選択された視標画像３８に対応する検査を実行する必要があるか否かを表示画面３３に表示させることができる。
【０１０２】
この場合、表示手段５７は、マウス３７の操作により視標画像３８が選択されたとき、選択された視標画像３８に対応する検査を実行する必要があるか否かをメモリ部２９に記憶された検査結果データ５４に基づいて判断し、選択された視標画像３８に対応する検査を実行する必要がない場合には、そのことを示す内容を表示部２５に表示させる旨の信号を画像出力部２７に出力する。
【０１０３】
画像出力部２７は、選択された視標画像３８に対応する検査を実行する必要がないことを示す内容を表示部２５に表示させる旨の信号を表示手段５７から受けると、例えば「検査する必要はありません」という文字を説明窓５８内に表示することを示す画像信号を表示部２５に出力する。これにより、表示画面３３には、図１０に示すように、選択された視標画像３８の検査パラメータ４２と共に「検査する必要はありません」という文字６５が説明窓５８内に表示される。
【０１０４】
図１０に示す例によれば、前記したように、表示手段５７は、マウス３７の操作により視標画像３８が選択されたとき、選択された視標画像３８に対応する検査を実行する必要がない場合には、そのことを示す内容を検査パラメータ４２と共に表示部２５に表示させることから、例えば、複数の検査を実行した結果、被検眼の乱視度数が０である場合のように、被検眼の乱視を矯正すべく乱視検査を特別に行う必要がない場合、乱視検査に対応する検査パラメータ４２が設定された視標画像３８が選択されたとき、表示部２５に乱視検査を行う必要がない旨の表示がされることにより、選択した視標画像３８に対応する検査を実行すべきか否かを容易に確認することができる。
【０１０５】
これにより、実行すべき検査以外の検査を行うことによる検査時間の遅延を確実に防止することができる。
【０１０６】
また、図１乃至図１０に示す例において、メモリ部２９に、各種の検査が被検眼のどのような機能を調べるための検査であるのかを示す検査内容を記憶させ、マウス３７の操作により視標画像３８が選択されたとき、選択された視標画像３８に対応する検査内容を表示部２５に表示することができる。
【０１０７】
この場合、表示手段５７は、マウス３７の操作により視標画像３８が選択されたとき、該視標画像に対応する検査内容をメモリ部２９から抽出し、抽出した検査内容を表示部２５に表示させることを示す信号を画像出力部２７に出力する。
【０１０８】
画像出力部２７は、検査内容を表示部２５に表示させる旨の信号を表示手段５７から受けると、図示の例では、検査内容を説明窓５８内に表示することを示す画像信号を表示部２５に出力する。これにより、表示部２５の表示画面３３には、選択された視標画像３８の検査パラメータ４２と共に視標画像３８に対応する検査内容が説明窓５８内に表示される。
【０１０９】
これによれば、表示手段５７は、マウス３７の操作により視標画像３８が選択されたとき、該視標画像に対応する検査内容をメモリ部２９から抽出し、抽出した検査内容を検査パラメータ４２と共に表示部２５に表示させることから、マウス３７の操作により視標画像３８を選択したとき、表示部２５に表示される検査内容を視認することにより、各視標画像３８に対応する検査が被検眼のどのような機能を調べるための検査であるのかを容易に確認することができる。
【０１１０】
これにより、検者２３の熟練度がたとえ低かったとしても、検査を実行する前に、選択決定手段によって視標画像３８を選択することによりこれから実行する検査がどのような検査であるのかを予め確認することができるので、実行する検査内容を被検者１２に容易に説明することができる。
【０１１１】
この例において、視標画像３８に対応する検査内容に加えて、その検査をする上での注意点や検査中のマウス３７の操作方法等を表示部２５の表示画面３３に表示させることができる。
【０１１２】
上記した例では、選択した視標画像３８が実行済みの検査に対応する視標画像３８であることを示す内容、選択された視標画像３８に対応する検査を実行する必要がないことを示す内容、及び、検査内容が、それぞれ検査パラメータ４２を表示させるための説明窓５８内に表示された例を示したが、これに代えて、例えば図９乃至図１０に示す例で表示される各内容をそれぞれ表示するための専用の説明窓５８を表示部２５の表示画面３３に表示させ、その各説明窓５８内に前記各内容をそれぞれ表示させることができる。
【０１１３】
また、上記した例において、図１１に示すように、説明窓５８に複数のページを順次表示するためのページ送り／戻し機能を設け、説明窓５８に表示される内容を例えばその内容毎にページ分けすることができる。
【０１１４】
図１１に示す例では、説明窓５８内にページ送りボタン６０及びページ戻しボタン６１がそれぞれ表示されている。また、各内容を表示するページは、図示の例では、それぞれメモリ部２９に記憶された操作画像データ３１に含まれる。更に、図示の例では、説明窓５８が表示画面３３に表示された状態に固定するための図示しない固定スイッチが操作盤３６に設けられている。
【０１１５】
例えば説明窓５８のページ送りを行う際、前記固定スイッチを操作することにより、説明窓５８が表示画面３３に表示された状態に固定し、その状態でマウス３７を操作することによりポインタ４１をページ送りボタン６０上に配置し、該ボタン上でクリック操作を行う。
【０１１６】
このとき、ＣＰＵ２８は、ページ送りボタン６０上でクリック操作が行われたことを検知すると、説明窓５８内に表示されているページの次のページをメモリ部２９から抽出し、抽出したページを説明窓５８内に表示することを示す制御信号を画像出力部２７に出力する。
【０１１７】
画像出力部２７は、ＣＰＵ２８からの制御信号に基づいて、ＣＰＵ２８により抽出されたページを説明窓５８内に表示することを示す画像信号を表示部２５に出力する。これにより、説明窓５８内には、表示されていた内容に代えて、該内容が表示されたページの次のページに表示された内容が表示される。説明窓５８のページ戻しを行う場合も、上記したと同様に行う。
【０１１８】
図１１に示す例によれば、説明窓５８に表示される内容を全て単一のページに同時に表示させる場合に比べて説明窓５８全体の大きさが小さくなるので、表示画面３３に説明窓５８を表示させたときに、説明窓５８以外の表示が説明窓５８により大きく覆われて視認することができなくなることを、確実に防止することができる。
【０１１９】
図１乃至図１１に示す例では、表示手段５７は、マウス３７の操作により視標画像３８が選択されたとき、表示画面３３に説明窓５８を表示させ、該説明窓内に検査パラメータ４２及び各種の内容をそれぞれ表示させる例を示したが、これに代えて、図１２に示すように、マウス３７の操作により視標画像３８が選択されたとき、表示画面３３に設けられた視標表示欄４０に検査パラメータ４２及び各種の内容を表示させることができる。
【０１２０】
この場合、マウス３７の操作により視標画像３８が選択されたとき、ＣＰＵ２８は、選択された視標画像３８をメモリ部２９に記憶された一覧表示欄３９への表示位置に基づいて特定し、特定した視標画像３８を示す信号を表示手段５７に出力する。
【０１２１】
表示手段５７は、ＣＰＵ２８から視標画像３８を示す信号を受けると、選択された視標画像３８に設定された検査パラメータ４２をメモリ部２９から抽出し、抽出した検査パラメータ４２を表示部２５に表示させる旨の信号を画像出力部２７に出力する。
【０１２２】
画像出力部２７は、表示手段５７から検査パラメータ４２を表示部２５に表示させる旨の信号を受けると、検査パラメータ４２を操作画像の視標表示欄４０に表示させる旨の視標画像信号を表示部２５に出力する。これにより、表示部２５の視標表示欄４０には、図１２に示すように、マウス３７の操作により選択された視標画像３８に設定された検査パラメータ４２が表示される。
【０１２３】
図１２に示す例によれば、表示手段５７は、マウス３７の操作により視標画像３８が選択されたとき、メモリ部２９から抽出した検査パラメータ４２を表示画面３３に設けられた視標表示欄４０に表示させることから、視標表示欄４０を検査パラメータ４２を表示させる表示領域として用いることができる。
【０１２４】
図１乃至図１２に示す例では、マウス３７の操作により視標画像３８上にポインタ４１を配置することにより視標画像３８が選択され、該視標画像上でマウス３７の左ボタン３７ａをクリック操作することにより視標画像３８が決定される例を示したが、これに代えて、例えば、マウス３７の操作により視標画像３８上にポインタ４１を配置した状態で、前記クリック操作を一回行うことにより視標画像３８を選択し、前記クリック操作を二回行うことにより視標画像３８を決定することができ、又は、視標画像３８上にポインタ４１を配置した状態で、マウス３７の左ボタン３７ａをクリック操作することにより視標画像３８を選択し、マウス３７の右ボタン３７ｂをクリック操作することにより視標画像３８を決定することができる。
【０１２５】
また、図１乃至図１２に示す例では、制御装置１５がパソコンＰで構成された例を示したが、これに代えて、制御装置１５を図１３に示すようなコントローラＣで構成することができる。
【０１２６】
コントローラＣは、図示の例では、パソコンＰと同様に、検者２３（図１参照。）により操作される操作部６６と、操作画像が表示される表示画面６７を有する表示部６８と、パソコンＰに設けられたと同様の演算制御回路２６及び画像出力部２７（図２参照。）を有する。演算制御回路２６には、前記したと同様に、ＣＰＵ２８及び画像出力部２７に接続された表示手段５７が組み込まれている。
【０１２７】
表示部６７の表示画面６７は、図示の例では、液晶パネルで構成されており、表示画面６７には、図示しないがパソコンＰの表示画面３３と同様に、屈折力表示欄３４と、一覧表示欄３９と、視標表示欄４０とが設けられる。
【０１２８】
操作部６６は、表示画面６７に表示される屈折力表示欄３４の前記した各項目の数値を変更するときに回転操作される環状のダイヤルスイッチ６９と、該ダイヤルスイッチの内方に設けられ、実行する検査を切り替えるときに押し操作される従来よく知られた送りボタン７０とが設けられた操作盤７１を備える。
【０１２９】
ＣＰＵ２８は、ダイヤルスイッチ６９が操作されると、該ダイヤルスイッチの操作位置に対応する屈折力をメモリ部２９のレンズデータ３２から抽出し、抽出した該レンズデータが示す屈折力を有する前記レンズを各フォロプタ２１の検眼窓内に配置する旨の制御信号を矯正装置１４の前記駆動制御部に制御信号を送る。これにより、ダイヤルスイッチ６９の操作により選択された屈折力を有する前記レンズが各フォロプタ２１の検眼窓内に配置される。
【０１３０】
また、ＣＰＵ２８は、ダイヤルスイッチ６９が操作されると、メモリ部２９から抽出したレンズデータ３２を示す信号を画像出力部２７に送る。これにより、前記したと同様に画像出力部２７から出力される屈折力画像信号により、表示部２５の表示画面３３の屈折力表示欄３４には、ダイヤルスイッチ６９の操作により設定された前記レンズの屈折力の値が表示される。
【０１３１】
更に、このコントローラＣでは、図１４に示すように、表示画面６７に表示された一覧表示欄３９内には、各視標画像３８がそれぞれ表示される複数の欄６２のうちいずれかの欄６２上でカーソル６３が表示されている。カーソル６３は、図示の例では、欄６２を囲む矩形状をなしており、ダイヤルスイッチ６９の回転操作により、一覧表示欄３９内でその上下方向及び左右方向に各欄６２間を順次移動する。
【０１３２】
図示の例では、ダイヤルスイッチ６９の操作によってカーソル６３が一覧表示欄３９の各視標画像３８のうち所望の視標画像３８が表示された欄６２上に移動することにより視標画像３８が選択され、所望の視標画像３８が表示された欄６２上にカーソル６３が位置した状態すなわち視標画像３８が選択された状態で送りボタン７０が押し操作されることにより、選択された視標画像３８が決定される。すなわち、ダイヤルスイッチ６９及び送りボタン７０は、前記した選択決定手段を構成する。
【０１３３】
ＣＰＵ２８は、ダイヤルスイッチ６９の操作によって視標画像３８が選択されたとき、選択された視標画像３８をメモリ部２９に記憶された一覧表示欄３９への表示位置に基づいて特定し、特定した視標画像３８を示す信号を表示手段５７に出力する。
【０１３４】
表示手段５７は、ＣＰＵ２８から視標画像３８を示す信号を受けると、前記したと同様に、表示部２５の表示画面６７に説明窓５８を表示させ、ダイヤルスイッチ６９の操作により選択された視標画像３８の検査データを説明窓５８内に表示させる。
【０１３５】
また、ＣＰＵ２８は、送りボタン７０が押し操作されたことを検知すると、決定された視標画像３８に対応する視標１１の視標データ３０をメモリ部２９から抽出し、抽出した視標データ３０を示す信号を画像出力部２７に送る。
【０１３６】
画像出力部２７は、ＣＰＵ２８から視標データ３０を示す信号を受けると、前記したと同様に、視標画像信号を表示部２５及び視標呈示部１３に出力する。これにより、表示部２５の視標表示欄４０と視標呈示部１３の表示画面１６とにはそれぞれ前記操作キーの操作により決定された視標画像３８に対応する視標１１が表示される。
【０１３７】
図１乃至図１４に示す例では、選択決定手段がマウス３７、又は、ダイヤルスイッチ６９及び送りボタン７０で構成された例を示したが、これらに代えて、一覧表示欄３９に表示された複数の視標画像３８からいずれかの視標画像３８を選択した後、該視標画像を決定することができる手段であれば、選択決定手段にマウス３７やダイヤルスイッチ６９及び送りボタン７０以外の手段を用いることができる。
【０１３８】
また、図１乃至図１４に示す例では、表示手段５７は、表示部２５の表示画面３３に説明窓５８を表示させて該表示窓内に検査パラメータ４２を表示させ、又は、表示画面３３の視標表示欄４０に検査パラメータ４２を表示された例を示したが、これらに代えて、視標画像３８が選択されたときに、該視標画像に設定された検査パラメータ４２を表示部２５に表示画面３３に表示することができれば、説明窓５８及び視標表示欄４０以外の箇所に検査パラメータ４２を表示することができる。
【図面の簡単な説明】
【０１３９】
【図１】本発明に係る自覚式検眼装置を概略的に示す斜視図である。
【図２】本発明に係る自覚式検眼装置を概略的に示すブロック図である。
【図３】本発明に係る制御装置を概略的に示す平面図である。
【図４】本発明に係る表示部の表示画面を概略的に示す正面図である。
【図５】各視標画像にそれぞれ既に設定された検査名が各視標画像に対応して表示される一覧画面を概略的に示す説明図である。
【図６】各視標画像にそれぞれ検査パラメータを設定するための設定画面を概略的に示す説明図である。
【図７】本発明に係る検査データ項目ボックスに設けられたプルダウンメニューが表示された状態を概略的に示す説明図である。
【図８】本発明に係る表示手段により表示画面に説明窓及び検査パラメータが表示された状態を概略的に示す説明図である。
【図９】図８に示す実施例とは別の実施例を概略的に示す説明図である。
【図１０】図８及び図９に示す実施例とは別の実施例を概略的に示す説明図である。
【図１１】本発明に係る説明窓にページ送りボタン及びページ戻しボタンがそれぞれ設けられた例を概略的に示す説明図である。
【図１２】本発明に係る検査パラメータが視標表示欄に表示された状態を概略的に示す説明図である。
【図１３】本発明に係るコントローラを概略的に示す斜視図である。
【図１４】本発明に係るコントローラの表示部に表示された一覧表示欄内に該一覧表示欄の各欄間を移動可能なカーソルが設けられた例を概略的に示す説明図である。
【符号の説明】
【０１４０】
１０  自覚式検眼装置
１１  視標
１３  視標呈示部
１４  光学素子配置装置（矯正装置）
２５  表示部
２８  制御部（ＣＰＵ）
２９  メモリ部
３７，６９，７０  選択決定手段（マウス、ダイヤルスイッチ及び送りボタン）
３８  視標画像
４０  表示欄（視標表示欄）
４２  検査パラメータ
５４  検査結果データ
５７  表示手段
５８  説明窓
【図１】
2008154965.tif 000003
【図２】
2008154965.tif 000004
【図３】
2008154965.tif 000005
【図１３】
2008154965.tif 000006
【図４】
2008154965.tif 000007
【図５】
2008154965.tif 000008
【図６】
2008154965.tif 000009
【図７】
2008154965.tif 000010
【図８】
2008154965.tif 000011
【図９】
2008154965.tif 000012
【図１０】
2008154965.tif 000013
【図１１】
2008154965.tif 000014
【図１２】
2008154965.tif 000015
【図１４】
2008154965.tif 000016